(57)【要約】【課題】  従来のイソプロピルアルコールを使用することによる消防上及び安全衛生面での問題を解決し、印刷作業において湿し水供給量の調整を容易にし、印刷物の汚れの発生をなくすことができる印刷用濃縮湿し水組成物及び印刷用湿し水組成物を提供する。【解決手段】  式（１）で表されるポリオキシプロピレンメチルグルコシドを含有することを特徴とする印刷用濃縮湿し水組成物又は印刷用湿し水組成物。また、前記ポリオキシプロピレンメチルグルコシドを０．００１質量％〜０．２質量％含有することを特徴とする上記印刷用湿し水組成物。【選択図】  なし【特許請求の範囲】
【請求項１】
下記化学式（１）；
【化１】
2006103241.tif 000005
（但し、ａ、ｂ、ｃ、ｄはそれぞれ０〜５０の整数、１≦ａ＋ｂ＋ｃ＋ｄ≦５０）
で表されるポリオキシプロピレンメチルグルコシドを含有することを特徴とする印刷用濃縮湿し水組成物又は印刷用湿し水組成物。
【請求項２】
請求項１記載の印刷用湿し水組成物は、印刷用湿し水組成物中に、前記ポリオキシプロピレンメチルグルコシドを０．００１質量％〜０．２質量％含有することを特徴とする印刷用湿し水組成物。
【発明の詳細な説明】
【技術分野】
【０００１】
本発明は、オフセット印刷等に利用することができる印刷用濃縮湿し水組成物及び印刷用湿し水組成物に関するものである。
【背景技術】
【０００２】
オフセット印刷に用いられる印刷版は、画線部と非画線部とが同一平面上に形成されている。そして、画線部は親油性（疎水性）であり、油性インキに対して受理性が高く、水に対して受容性がないように処理されており、一方、非画線部は親水性（疎油性）であり、水に対して受理性が高く油性インキに対して受容性がないように処理されている。
このような処理が施されたオフセット印刷版を用いたオフセット印刷においては、まず印刷版上に湿し水を供給し、親水性の非画線部に均一で薄い水の膜を形成させることが必要である。この水膜で覆われている部分は、油性インキを反発して付着を防止できるため、非画線部ではこの水膜を完全に形成させることが重要である。更に、印刷版上の非画線部を湿し水で覆った後、油性インキを親油性の画線部のみに転移させ、この印刷版上に形成されたインキ画像は、ブランケット、次いで被印刷体に転移して印刷物が得られる。
【０００３】
ここで、使用される湿し水は、最も簡単には水であってもよい。しかし、水のみでは、湿し水としての機能を充分満足するものではなく、例えば、湿し水の供給量が少なくなると、インキは容易に非画線部分に転移するようになる。そこで、通常、この様な印刷不良を改善するためには、湿し水の粘度、ｐＨ値や印刷インキに対する乳化特性を最適にし、且つ局部的に異なる水量の差を少なくすることが必要であり、そのために粘度調節剤、親水性化剤、緩衝剤、溶解助剤、湿潤剤、消泡剤等が添加配合されている。
【０００４】
このような従来のオフセット印刷に使用される印刷用湿し水組成物では、印刷中に汚れを発生させないように、湿し水の供給量を調整することが非常に困難であることから、この点を改善するために、湿し水中にイソプロピルアルコールを１〜２０質量％含有する印刷用湿し水組成物も提案されている（例えば、特許文献１参照）。
【０００５】
しかしながら、このイソプロピルアルコールは消防法における危険物に該当し、また、労働安全衛生法の有機溶剤中毒予防規則でも規制されており、消防や作業環境といった面で好ましくない。そこで、イソプロピルアルコールを有機溶剤中毒予防規則の規制以下（印刷用湿し水組成物中５質量％未満）に、更には、イソプロピルアルコールを全く含有しない印刷用湿し水組成物が望まれており、種々の印刷用湿し水組成物の提案がなされている（例えば、特許文献２、特許文献３参照）。しかしながら、未だ湿し水供給量の調整を容易にするための工夫の余地があった。
【特許文献１】特開昭５４−１１４３０２号公報
【特許文献２】特開平０３−１５５９９１号公報
【特許文献３】特開平０６−２０６３９１号公報
【発明の開示】
【発明が解決しようとする課題】
【０００６】
本発明の課題は、従来のイソプロピルアルコールを使用することによる消防上及び安全衛生面での問題を解決し、印刷作業において湿し水供給量の調整を容易にし、印刷物の汚れの発生をなくすことができる印刷用濃縮湿し水組成物及び印刷用湿し水組成物を提供することである。
【課題を解決するための手段】
【０００７】
本発明者らは、上記課題を解決するため研究を重ねた結果、ポリオキシプロピレンメチルグルコシドを含有させることにより、上記課題を容易に解決できることを見出し、本発明を完成させたものである。本発明の印刷用濃縮湿し水組成物又は印刷用湿し水組成物を利用すると、イソプロピルアルコールを５質量％未満に、更には全く無くすことができ、上記課題を見事に解決することができる。
すなわち、本発明は、（１）下記化学式（１）；
【０００８】
【化１】
2006103241.tif 000002
【０００９】
（但し、ａ、ｂ、ｃ、ｄはそれぞれ０〜５０の整数、１≦ａ＋ｂ＋ｃ＋ｄ≦５０）
で表されるポリオキシプロピレンメチルグルコシドを含有する印刷用濃縮湿し水組成物又は印刷用湿し水組成物に関する。
また、本発明は、（２）上記（１）項記載の印刷用湿し水組成物は、印刷用湿し水組成物中に、前記ポリオキシプロピレンメチルグルコシドを０．００１質量％〜０．２質量％含有する印刷用湿し水組成物に関する。
【００１０】
以下、本発明の印刷用濃縮湿し水組成物、及び、印刷用湿し水組成物について詳細に説明する。
なお、印刷用湿し水組成物は、印刷用濃縮湿し水組成物を希釈したものであり、通常、印刷に際して水等により希釈される。
【００１１】
本発明の印刷用濃縮湿し水組成物及び印刷用湿し水組成物は、化学式（１）で表されるポリオキシプロピレンメチルグルコシドを含有するものである。
当該ポリオキシプロピレンメチルグルコシドを含有させることにより、イソプロピルアルコール含有量を５質量％未満に、更には全く無くすことができ、消防上及び安全衛生面での問題を解決し、印刷作業において湿し水供給量の調整を容易にし、印刷物の汚れの発生をなくすことができる。
【００１２】
本発明の印刷用湿し水組成物において、化学式（１）で表されるポリオキシプロピレンメチルグルコシドの含有量は、本発明の効果を充分に得ることができる観点から、印刷用湿し水組成物の全質量に基づいて、好ましい下限は０．００１質量％であり、好ましい上限は０．２質量％である。
【００１３】
本発明の印刷用湿し水組成物に化学式（１）で表されるポリオキシプロピレンメチルグルコシドを含有させる代表的な方法としては、例えば（ａ）予め印刷用濃縮湿し水作成時に当該化合物を含有させる方法、（ｂ）予め印刷用濃縮湿し水作成時に当該化合物を含有させ、更に後添加でも加える方法、（ｃ）当該化合物を含有していない印刷用湿し水組成物に後添加する方法等が挙げられる。また、本発明の効果を充分に得ることができる観点から、最終的な印刷用湿し水組成物に、化学式（１）で表されるポリオキシプロピレンメチルグルコシドを、印刷用湿し水組成物の全質量に基づいて０．００１質量％以上０．２質量％以下の範囲となるように含有させることができる方法であれば、どんな方法でも好適に用いることができる。
【００１４】
上記の（ａ）予め印刷用濃縮湿し水作成時に化学式（１）で表されるポリオキシプロピレンメチルグルコシドを含有させる方法としては、例えば、印刷用濃縮湿し水組成物中の全質量に基づいて、好ましくは当該化合物を０．０７質量％から印刷用濃縮湿し水組成物に溶解可能な量までの範囲となるように添加し、更に必要に応じてその他の材料を適宜添加して、通常の攪拌機で攪拌混合させる方法が挙げられる。
このようにして得られた印刷用濃縮湿し水組成物は、通常、適度な希釈範囲として約５０〜２００倍に希釈し、印刷用湿し水組成物として利用される。
【００１５】
上記の（ｂ）予め印刷用濃縮湿し水作成時に当該化合物を含有させ、更に後添加でも加える方法としては、例えば、当該化合物と、必要に応じて適宜その他の材料を水に添加して、通常の攪拌機で攪拌混合させる方法により印刷用濃縮湿し水組成物を作成した後、水等の希釈液に更に当該化合物を溶解させて後添加するか、希釈後の印刷用湿し水に当該化合物を後添加する方法が挙げられる。
なお、印刷用濃縮湿し水組成物は、通常、適度な希釈範囲として約５０〜２００倍に希釈し、印刷用湿し水組成物として利用される。
【００１６】
上記の（ｃ）当該化合物を含有していない印刷用湿し水組成物に後添加する方法としては、例えば、当該化合物を、印刷用湿し水組成物中に好ましくは０．００１質量％から０．２質量％の範囲となるように、印刷用湿し水組成物に添加し、更に必要に応じてその他の材料を適宜添加して、通常の攪拌機で攪拌混合させる方法が挙げられる。
【００１７】
本発明の印刷用濃縮湿し水組成物及び印刷用湿し水組成物は、中性の印刷用濃縮湿し水組成物及び印刷用湿し水組成物として、また、ｐＨ調整剤として塩基性或いは酸性の化合物を単独又は２種以上利用することにより、アルカリ性或いは酸性の印刷用濃縮湿し水組成物及び印刷用湿し水組成物として使用できる。
上記塩基性のｐＨ調整剤としては、ケイ酸塩、苛性ソーダ、炭酸ソーダ等の無機塩基が利用でき、また、酸性のｐＨ調整剤としては、クエン酸、リン酸等の酸性化合物が利用できる。
【００１８】
本発明の印刷用濃縮湿し水組成物及び印刷用湿し水組成物に配合されるその他の材料としては、例えば、以下のようなものが挙げられる。
整面剤や整面助剤として、リン酸１乃至３ナトリウム、リン酸１乃至３カリウム、リン酸１乃至３アンモニウム、リン酸アンモニウムナトリウム、ポリリン酸のナトリウム、カリウム又はアンモニウム等のリン酸塩、更に、ほう酸金属塩、クエン酸金属塩、酒石酸金属塩、硫酸金属塩、硝酸金属塩、重炭酸金属塩、アルミニウムミョウバン等の塩基、蟻酸、酢酸、コハク酸、グルタル酸、マレイン酸、フタル酸、シトコラン酸、イタコン酸、フマル酸、トリカルバリル酸、グリコール酸、酪酸、吉草酸、乳酸、酒石酸、プロピオン酸、シュウ酸、マロン酸、チオグリコール酸、リンゴ酸、クエン酸、グルコン酸、ピルビン酸、グリコール酸、サリチル酸、アジピン酸、ヒドロアクリル酸、グリセリン酸、ｐ−トルエンスルホン酸及びこれらの金属塩、有機アミン塩等が挙げられ、用途に応じて適宜使用できる。また、これらは、単独で又は混合して使用することができる。
【００１９】
また、湿潤剤として、アラビアゴム、カルボキシメチルセルロース、ペクチン、ポリビニルピドリドン、ポリビニルアルコール、メチルビニルエーテル、無水マレイン酸共重合体、アルギン酸、アルコール類、グリコール類、グリコール類のモノ又はジエーテル類、グリセリン類等を使用することができる。
界面活性剤として、グリセリン脂肪酸エステル系、ポリグリセリン脂肪酸エステル系、プロピレングリコール脂肪酸エステル系、ペンタエリスリトール脂肪酸エステル系、ポリオキシエチレン系の化合物等を使用することができる。
防錆剤として、トリエタノールアミン、トリエチルアミン等のアミン類、亜硝酸ナトリウム、亜硝酸ジシクロヘキシルアンモニウム等を使用することができる。
消泡剤として、シリコン系消泡剤等を使用することができる。
防腐剤として、解離性フッ素化合物、フェノール及びその誘導体、イミダゾール誘導体、４−イソチアゾリン−３−オン誘導体等を使用することができる。
キレート化剤として、ＥＤＴＡ−２Ｎａ等を使用することができる。
親水化主剤化合物として、リン酸塩、フイチン酸塩、ヘキサアミンコバルト塩等を使用することができる。
【発明の効果】
【００２０】
本発明の印刷用濃縮湿し水組成物及び印刷用湿し水組成物は、上述の構成からなり、イソプロピルアルコールを５質量％未満に、更には全く無くすことができるので、使用に際して消防上及び安全衛生面での問題がなく、また、オフセット印刷に使用した際には、湿し水供給量を容易に調整することが可能となり、印刷物に汚れが発生することを防止することができるものである。
【発明を実施するための最良の形態】
【００２１】
以下、実施例及び比較例により、本発明を具体的に説明するが、本発明はこれらの実施例によって何等限定されるものではない。
【００２２】
実施例１〜７、比較例１〜４
各材料を攪拌混合し、下記表１の組成となるように実施例１〜７、比較例１〜４の各種印刷用湿し水組成物を調製した。なお、表中の添加量の単位は質量である。また、表１中のポリオキシプロピレンメチルグルコシド（製品名：グリコポリオール、日本油脂（株）社製）の構造は、下記化学式（２）に示す通りである。
【００２３】
【化２】
2006103241.tif 000003
【００２４】
＜印刷試験＞
実施例１〜７、比較例１〜４の印刷用湿し水組成物を用いて、オフセット印刷機で印刷し、下記項目について評価した。
＜印刷試験条件＞
印刷機：三菱ダイヤ菊半４色機（湿し水機構：連続給水機構）（三菱重工業社製）
印刷インキ：枚葉印刷用オフセットインキ（サカタインクス社製）
印刷速度：８０００枚／時
温度／湿度：２５℃／６０％
印刷用紙：ＯＫトップコートＮ  ７３Ｋ（王子製紙社製）
印刷部数：５０００枚
【００２５】
＜評価試験＞
［汚れ］
汚れについては、印刷試験を行った際に、汚れが発生した時点の印刷部数で評価した。つまり、数値が大きいほど汚れの発生が遅いことを意味する。その結果を表１に示した。
［濃度変化］
濃度変化については、印刷試験を行い、印刷物のベタ部における濃度の変化を目視にて観察し、その度合で示した。その結果を表１に示した。
［ローラーストリップ］
ローラーストリップについては、印刷試験を行い、ローラーストリップ発生時の印刷部数で評価した。その結果を表１に示した。
【００２６】
【表１】
2006103241.tif 000004
【００２７】
表１の結果から、実施例１〜７の本発明の印刷用湿し水組成物は、比較例１〜３の印刷用湿し水組成物と比べて、印刷物の汚れの発生がなく、さらに濃度変化やローラーストリップも発生しないという優れた物性を有することがわかる。また、実施例１〜７の本発明の印刷用湿し水組成物は、イソプロピルアルコール含有量を５質量％未満とすることができ、多量のイソプロピルアルコールを含有する比較例４の印刷用湿し水組成物とは異なり、消防上及び安全衛生面での問題がないことがわかる。
【産業上の利用可能性】
【００２８】
本発明の印刷用濃縮湿し水組成物及び印刷用湿し水組成物は、上述の構成からなり、イソプロピルアルコールを５質量％未満に、更には全く無くすことができるので、使用に際して消防上及び安全衛生面での問題がなく、また、オフセット印刷に使用した際には、湿し水供給量を容易に調整することが可能となり、印刷物に汚れが発生することを防止することができるものである。